(57)【要約】【課題】清掃などに使用するすくい取り用具において、構造的に簡潔且つ軽量であり、操作性の面で簡単且つ迅速に行えるものであり、更に操作後において確実な角度固定が得られるものとして、実用に耐えられるようにする。【解決手段】柄部２と、この先端に設けられた作業器部３とを有し、作業器部３は透水孔１３が設けられた底板１０と左右一対の側壁１１と後壁１２とを有し、柄部２と作業器部３とが底板１０の先端を上下揺動させる方向で屈曲自在に連結され、この連結部に屈曲自在な状態と複数の固定角度での角度固定状態とをワンタッチ操作で切り替えることのできる角度設定部５を設ける。【選択図】図１
2009114780.tif 000002
【特許請求の範囲】
【請求項１】
柄部（２）と、この柄部（２）の先端に設けられた作業器部（３）とを有し、作業器部（３）は透水孔（１３）が設けられた底板（１０）とこの底板（１０）の左右端で立ち上がる一対の側壁（１１）と底板（１０）の後端で立ち上がる後壁（１２）とを有し、柄部（２）と作業器部（３）とが底板（１０）の先端を上下揺動させる方向で屈曲自在に連結され、この連結部に屈曲自在な状態と複数の固定角度での角度固定状態とをワンタッチ操作で切り替えることのできる角度設定部（５）が設けられていることを特徴とするすくい取り用具。
【請求項２】
前記角度設定部（５）には、柄部（２）と作業器部（３）の底板（１０）上面とが略直交する角度と、この角度に対する鋭角及び鈍角とを含む複数の角度が設定されていることを特徴とする請求項１記載のすくい取り用具。
【請求項３】
前記角度設定部（５）は、作業器部（３）の後壁（１２）後部で軸心を底板（１０）上面及び後壁（１２）後面に略平行させて設けられた屈曲支軸（１５）と、この屈曲支軸（１５）を作業器部（３）の後壁（１２）後部に支持させる状態で設けられ当該屈曲支軸（１５）まわりに複数の係止溝（２０）を放射状に配置させた歯切り部材（１６）と、上記屈曲支軸（１５）まわりで回動自在に保持される状態で柄部（２）の先端に設けられた軸支部（１７）と、柄部（２）の先端にレバー保持部（２５）を介して揺動自在に設けられ且つ揺動側の一端部に上記歯切り部材（１６）の各係止溝（２０）に係脱自在となるストッパ片（２７）が設けられていると共に揺動側の他端部に押し操作部（２８）が設けられた操作レバー（１８）と、上記ストッパ片（２７）が上記歯切り部材（１６）の係止溝（２０）に係止保持される方向で上記操作レバー（１８）の揺動を付勢する係止付勢バネ（１９）とを有し、
操作レバー（１８）のストッパ片（２７）が歯切り部材（１６）の係止溝（２０）に係合した状態で、操作レバー（１８）は柄部（２）と平行しており押し操作部（２８）は柄部（２）から徐々に離れる方向へ折曲するように設けられていることを特徴とする請求項２記載のすくい取り用具。
【請求項４】
前記作業器部（３）の後壁（１２）には、作業器部（３）の底板（１０）上面と柄部（２）とを近接させ平行状態にするまで屈曲させたときに柄部（２）を収納可能にすべく上方へ開放させた切欠（３０）が形成されており、
前記角度設定部（５）の歯切り部材（１６）には、作業器部（３）の底板（１０）上面と柄部（２）とを近接させ平行状態にするまで屈曲させたときにストッパ片（２７）を係止可能にする係止溝（２０）が設けられている
ことを特徴とする請求項３記載のすくい取り用具。
【発明の詳細な説明】
【技術分野】
【０００１】
本発明は、土木、農業、家庭菜園、清掃などの各種作業で好適に使用可能なすくい取り用具に関するものである。
【背景技術】
【０００２】
スコップなどにおいて、ハンドル部分（柄部）とその先の部分（泥掬い部分）との角度を変更できるようにしたものが知られている（特許文献１参照）。なお、角度変更を可能にするための具体的な構造についての開示はされていない。
【特許文献１】特開２００７−１７７５９９号公報
【発明の開示】
【発明が解決しようとする課題】
【０００３】
スコップなどは力作業に使われるものであり、また土、砂、砂利などをすくい上げる場合にはその荷重に耐えなければならないため、ハンドル部分とその先の部分との間で角度変更を可能にするための構造としては、変更後の角度がズレないように、強固な角度固定が必要になる。
このような強固な角度固定を可能にする構造は、構造的に堅牢で且つ複雑となるために高コスト化する傾向となり、また荷重的にも増大する傾向となる。更に、角度変更のための操作性もアクション数が増えて面倒になる嫌いがある。
【０００４】
これらのことから、土木、農業、家庭菜園、清掃などの作業で使用するジョレンや溝さらえ等のすくい取り用具に対し、実用に耐える角度変更構造の開発が待たれていた。
本発明は、上記事情に鑑みてなされたものであって、土木、農業、家庭菜園、清掃などの各種作業で使用可能なすくい取り用具において、構造的に簡潔且つ軽量であり、操作性の面で簡単且つ迅速に行えるものであり、更に操作後において確実な角度固定が得られるものとして、実用に耐えられるようにしたすくい取り用具を提供することを目的とする。
【課題を解決するための手段】
【０００５】
前記目的を達成するために、本発明は次の手段を講じた。
即ち、本発明に係るすくい取り用具は、柄部と、この柄部の先端に設けられた作業器部とを有し、作業器部は透水孔が設けられた底板とこの底板の左右端で立ち上がる一対の側壁と底板の後端で立ち上がる後壁とを有し、柄部と作業器部とが底板の先端を上下揺動させる方向で屈曲自在に連結され、この連結部に屈曲自在な状態と複数の固定角度での角度固定状態とをワンタッチ操作で切り替えることのできる角度設定部が設けられている。
このように柄部と作業器部との間を、角度設定部により、屈曲自在な状態と、角度固定状態（複数の固定角度それぞれでの固定状態）とにワンタッチ操作で切り替えられるようにすることで、すくい取り用具の使用態様として自由度が高くなり、使い易くなる。
【０００６】
なお、角度設定部による角度固定状態は、各種作業中において、柄部と作業器部との屈曲角度が意に反してズレてしまうようなことがないものを前提にする。また、この角度設定部による切り替え操作は、ワンタッチで行える簡単且つ迅速なものとする。ここに「ワンタッチ」の意味は、複数の操作を順序立てて行ったり、繰り返したり、或いは強い操作力を必要としたり、といった面倒さや困難さを伴う操作（例えばネジを締めたり緩めたりする操作等）ではなく、単純な操作（例えばレバーを揺動させたりボタンを押したりする操作等）によって完結できるようなものを言う。
【０００７】
角度設定部には、柄部と作業器部の底板上面とが略直交する角度と、この角度に対する鋭角（９０°未満）及び鈍角（９０°超え）とを含む複数の角度を設定しておくとよい。
角度設定部は、作業器部の後壁後部で軸心を底板上面及び後壁後面に略平行させて設けられた屈曲支軸と、この屈曲支軸を作業器部の後壁後部に支持させる状態で設けられ当該屈曲支軸まわりに複数の係止溝を放射状に配置させた歯切り部材と、上記屈曲支軸まわりで回動自在に保持される状態で柄部の先端に設けられた軸支部と、柄部の先端にレバー保持部を介して揺動自在に設けられ、且つ揺動側の一端部に上記歯切り部材の各係止溝に係脱自在となるストッパ片が設けられていると共に揺動側の他端部に押し操作部が設けられた操作レバーと、上記ストッパ片が上記歯切り部材の係止溝に係止保持される方向で上記操作レバーの揺動を付勢する係止付勢バネとを有したものとするのが好適である。
【０００８】
この場合、操作レバーのストッパ片が歯切り部材の係止溝に係合した状態で、操作レバーは柄部と平行しており、且つ押し操作部は柄部から徐々に離れる方向へ折曲するように設けられたものとするのがよい。
このようにすると、操作レバーのストッパ片として、歯切り部材の係止溝に対する係合離脱が確実且つ円滑に行われるものとなり、係合時における確実な係合状態（係合力の発揮）が得られるものとなる。また、押し操作部については、操作しやすい状態（操作力を加えやすい状態）が得られる。
【０００９】
作業器部の後壁には、作業器部の底板上面と柄部とを近接させ平行状態にするまで屈曲させたときに柄部を収納可能にすべく上方へ開放させた切欠が形成されたものとしておき、これに対して角度設定部の歯切り部材には、作業器部の底板上面と柄部とを近接させ平行状態にするまで屈曲させたときに、ストッパ片を係止可能にする係止溝が設けられたものとするのが好適である。
このようにすることで、作業器部の底板上面と柄部とを近接させ平行状態にするまで屈曲させることができるので、用具全体として、作業器部の側方張り出しを折り畳んだコンパクトな収納状態に変形できるものである。そのため、収納スペースをコンパクトにできる利点がある。
【発明の効果】
【００１０】
本発明に係るすくい取り用具は、構造的に簡潔且つ軽量であり、操作性の面で簡単且つ迅速に行え、また操作後において確実な角度固定が得られるので、土木、農業、家庭菜園、清掃などの各種作業で好適に使用可能であり、実用に耐えられるものである。
【発明を実施するための最良の形態】
【００１１】
以下、本発明の実施の形態を、図面に基づき説明する。
図１乃至図６は、本発明に係るすくい取り用具１の一実施形態を示している。このすくい取り用具１は、柄部２と、この柄部２の先端に連結された作業器部３とを有し、これら柄部２と作業器部３との連結部分には角度設定部５が設けられている。
柄部２は、木（竹を含む）、樹脂、金属（アルミやスチール等）などにより中実又は中空構造で形成されており、好ましくは後端部に樹脂製又はゴム製のグリップ７が設けられている。
【００１２】
本実施形態では内外二重筒構造（径小パイプと径大パイプとの組み合わせ構造）によって伸縮自在とされたものを示してあり、作業器部３と連結される方が内筒２Ａ（径小パイプ）とされ、グリップ７の設けられる方が外筒２Ｂ（径大パイプ）とされている。伸縮量は５００ｍｍ〜１０００ｍｍ程度とすればよい。
伸縮の操作は、外筒２Ｂの先端に擦り割りを入れておき、その周りに螺合させたナット８を緩めたり締め付けたりする、所謂コレットチャック方式や、外筒２Ｂの先端に径方向に螺合させたフォローセットネジ（図示略）を緩めたり締め付けたりする方式を採用すればよい。
【００１３】
作業器部３は、底板１０と、この底板１０の左右端で立ち上がる一対の側壁１１と、底板１０の後端で立ち上がる後壁１２とを有して、上方及び前方が開放された箱形に形成されている。これら底板１０、側壁１１、後壁１２は、ステンレス、アルミ、ブリキ、スチールなどの金属板又は樹脂により形成されており、少なくとも底板１０には透水孔１３が多数設けられて、透水性を有している。本実施形態では底板１０、側壁１１、後壁１２の全てに円形孔による透水孔１３が設けられたものとしてある。
本実施形態では、底板１０の先端が側壁１１の前端よりも前方へ張り出していると共に、側壁１１の前端が斜め後方へ傾斜するようにカットされたものとしてあり、すくい取り作業時において例えば泥土などに対する差し込み抵抗を軽減して、作業の容易化を図ってある。
【００１４】
柄部２と作業器部３とは、作業器部３の底板１０がその先端を上下揺動させる方向で屈曲自在に連結されている。
角度設定部５は、柄部２と作業器部３とが屈曲自在となる状態と、これら柄部２と作業器部３との間を角度固定させる状態とを、ワンタッチ操作で切り替えることができる構造となっている。柄部２と作業器部３との角度固定状態は、柄部２と作業器部３の底板１０上面とが略直交する角度を中心として、この角度に対する鋭角（９０°未満）及び鈍角（９０°超え）とを含む複数の角度が設定されている。
【００１５】
角度設定部５は、作業器部３に対して後壁１２の後部に設けられた屈曲支軸１５と、この屈曲支軸１５を作業器部３の後壁１２後部に支持させる歯切り部材１６と、柄部２の先端で上記屈曲支軸１５を挿通保持する軸支部１７と、柄部２の先端に設けられた操作レバー１８と、この操作レバー１８に付設された係止付勢バネ１９とを有している。
屈曲支軸１５は、作業器部３の後壁１２後部で軸心を底板１０の上面及び後壁１２の後面に略平行させた状態で架設されている。
歯切り部材１６は互いに所定間隔をおいて左右一対設けられており、両歯切り部材１６の間で屈曲支軸１５を架設保持するようになっている。これら歯切り部材１６には、屈曲支軸１５を中心としてそのまわり（後方側）に、放射状配置で複数の係止溝２０が設けられている。
【００１６】
本実施形態に示した歯切り部材１６は、作業器部３の後壁１２から見てその後方へ半月状の円弧が形成されるような形状とされ、この円弧部分（屈曲支軸１５を中心とする１８０°の範囲）に等間隔で９個の係止溝２０が設けられたものとしてある。すなわち、各係止溝２０は、２２．５°間隔で配置されていることになる。
軸支部１７は、柄部２の先端を貫通するように軸孔２１が形成された部分で、この軸孔２１内に屈曲支軸１５が回動自在に挿通される。この軸支部１７に対して、軸孔２１の両側の開口周部を挟持するようにして左右の歯切り部材１６が配置されることになる。そのため、柄部２の断面形状が円形である場合には、歯切り部材１６との安定した相対揺動が得られるように、柄部２の外周面に面取り２２を施しておくのが好適となる（図６や図８参照）。
【００１７】
操作レバー１８は、柄部２の先端に取り付けられたレバー保持部（ブラケット）２５に対し、揺動軸２６を支点として揺動自在となる状態で設けられている。この操作レバー１８において、揺動側の一端部には、歯切り部材１６の各係止溝２０に係脱自在となるように鉤形に折曲されたストッパ片２７が設けられている。また揺動側の他端部には、押し操作部２８が設けられている。
操作レバー１８は、ストッパ片２７が歯切り部材１６の係止溝２０に係合した状態で、柄部２と平行するようになっている。すなわち、歯切り部材１６が成す円弧形状に対する接線方向に一致していることになり、このときストッパ片２７は、歯切り部材１６が成す円弧形状の中心へ向け且つ係止溝２０に対しては垂直に係合する状態となっている。
【００１８】
このようなことから、操作レバー１８の揺動に伴い、歯切り部材１６の係止溝２０に対してストッパ片２７の係合離脱が確実且つ円滑に行われるものとなり、また係合時においては確実な係合状態（係合力の発揮）が得られるものとなる。
一方、押し操作部２８は、柄部２から徐々に離れる方向へ折曲された形状とされており、操作しやすい状態（操作力を加えやすい状態）が得られる。
係止付勢バネ１９は、操作レバー１８のストッパ片２７が歯切り部材１６の係止溝２０に係止保持される方向で、操作レバー１８の揺動を付勢するようになったものである。
【００１９】
本実施形態では、コイルバネの両端側でバネ脚１９Ａ，１９Ｂを伸ばしたものを使用してあり、バネ本体１９Ｃを操作レバー１８の揺動軸２６に挿通させ、一方のバネ脚１９Ａを柄部２に設けた脚入れ溝２９に係合させ、他方のバネ脚１９Ｂを操作レバー１８の押し操作部２８に係合させるようにしてある。
このようなことから、この角度設定部５では、操作レバー１８の押し操作部２８を押し込むように操作すると、操作レバー１８が揺動し、この揺動に伴ってストッパ片２７が歯切り部材１６の係止溝２０から脱出し、柄部２と作業器部３とは相対的に揺動自在な状態となる。
【００２０】
これら柄部２と作業器部３とを所望する角度に合わせた状態で操作レバー１８の押し操作部２８を解放する（押すのを止める）と、操作レバー１８が係止付勢バネ１９のバネ力によって揺動前の状態に戻ろうとし、ストッパ片２７が最寄りの係止溝２０と係合するようになる。
このように、柄部２と作業器部３との間は屈曲自在な状態と、角度固定状態（複数の固定角度それぞれでの固定状態）とにワンタッチ操作で切り替えられるものであり、また固定した柄部２と作業器部３との角度は、意に反してズレてしまうようなことはない。そのため、すくい取り用具の使用態様として自由度が高くなり、使い易くなる（図９参照）。
【００２１】
なお、図４に示すように、作業器部３の後壁１２には、底板１０の上面と柄部２とを近接させ、平行状態にするまで屈曲させたときに、柄部２を収納可能にすべく、上方へ開放させた切欠３０を形成しておくとよい。これに対して角度設定部５の歯切り部材１６には、作業器部３の底板１０上面と柄部２とを近接させ平行状態にするまで屈曲させたときに、ストッパ片２７を係止可能にする係止溝２０を設けておく。
このような構造を採用すると、作業器部３の底板１０上面と柄部２とを近接させ、平行状態にするまで屈曲させることができるので、図１０に示すように、すくい取り用具１を全体として、作業器部３の側方張り出しを折り畳んだコンパクトな収納状態に変形できる。そのため、収納スペースをコンパクトにできる利点がある。
【００２２】
ところで、本発明は、上記実施形態に限定されるものではなく、実施の形態に応じて適宜変更可能である。
例えば、作業器部３において、底板１０に対して側壁１１や後壁１２が立ち上がる隅角部は、直角状に折れ曲がったものとして図示したが、アール状に形成させてもよい。また立ち上がり角も、上方へゆくにしたがって外側へ広がるように鈍角に形成させることができる。
作業器部３において、底板１０が船底のような丸みを帯びたもの（正面から見て上弦の半月状となるような下に凸の円弧形断面）として形成することもできる。この場合、底板１０と左右の側壁１１との間に、明確な境界が現れる形状としても現れない形状としてもよい。底板１０の前端に鋸歯のようなギザギザを設けることも可能である。
【００２３】
図１１に示すように、透水孔１３は長孔状としたり、更に細いスリット状としたりすることができる。
図１２に示すように、底板１０などを網材により形成することで、網目を透水孔１３とすることも可能である。なお。図１２に示すように、底板１０の大きさや平面形状なども種々変更できるものである。
角度設定部１５において、歯切り部材１６は、左右一対設けることが限定されるものではなく、１枚だけとしてもよい。
【００２４】
図１３に示すように、係止付勢バネ１９は、揺動軸２６の両端寄りに２個設けるようにしてもよい。なお、場合によっては係止付勢バネ１９を省略することも可能である。
角度設定部１５は、歯切り部材１６及び屈曲支軸１５を柄部２の先端側に設け、軸支部１７及び操作レバー１８を作業器部３の後壁１２側に設けるようにしてもよい。
柄部２において伸縮自在な構造を採用するか否かは適宜選択できる。また柄部２の長さや太さなども適宜選択できるものである。
本発明に係るすくい取り用具１は、土木、農業、家庭菜園、清掃などの各種作業で好適に使用できる他、メッキ槽等の表面処理槽から処理品を取り出す際などにも好適に使用できる。その他、食品やケミカル用品などを対象にするなど、用途的な限定はされない。
【図面の簡単な説明】
【００２５】
【図１】図２のＡ部拡大図である。
【図２】（Ａ）は本発明に係るすくい取り用具の一実施形態を示した平面図であり、（Ｂ）は側面図である。
【図３】図２のＢ部拡大図である。
【図４】図１のＣ−Ｃ線矢視図である。
【図５】図３のＤ−Ｄ線断面図である。
【図６】図１のＥ−Ｅ線矢視図である。
【図７】図１のＦ−Ｆ線断面図である。
【図８】図１のＧ−Ｇ線断面図である。
【図９】第１実施形態における使用例を示す側面図である。
【図１０】第１実施形態における収納例を示す側面図である。
【図１１】作業器部の別実施形態を示した平面図である。
【図１２】作業器部の更に異なる実施形態を示した平面図である。
【図１３】角度設定部の別実施形態を図７と比較し易く描いた図である。
【符号の説明】
【００２６】
１    すくい取り用具
２    柄部
３    作業器部
５    角度設定部
１０    底板
１１    側壁
１２    後壁
１３    透水孔
１５    屈曲支軸
１６    歯切り部材
１７    軸支部
１８    操作レバー
１９    係止付勢バネ
２０    係止溝
２５    レバー保持部
２７    ストッパ片
２８    押し操作部
３０    切欠
【図１】
2009114780.tif 000003
【図２】
2009114780.tif 000004
【図３】
2009114780.tif 000005
【図４】
2009114780.tif 000006
【図５】
2009114780.tif 000007
【図６】
2009114780.tif 000008
【図７】
2009114780.tif 000009
【図８】
2009114780.tif 000010
【図９】
2009114780.tif 000011
【図１０】
2009114780.tif 000012
【図１１】
2009114780.tif 000013
【図１２】
2009114780.tif 000014
【図１３】
2009114780.tif 000015